(57)【要約】【課題】  粗切断用回転刃及び細切断用回転刃を清掃しても、被処理物の細断片（細断屑）が前後の揺動側壁に落下・付着することがないようにする。【解決手段】  細断機１のケーシング３は、所定間隔をあけて配された左右の固定側壁８と、左右の固定側壁８の前後部下部に渡し止められた前後の連結材９と、左右の固定側壁８の前後部上部に渡し止められた前後の枢軸１０と、枢軸１０に上下揺動開閉自在に設けられた揺動側壁１１とを有している。粗切断用回転刃２１の移動軌跡空間を囲う覆い部材３５は前後に２分割されていて前側部材３５ａと後側部材３５ｂとからなり、前側部材３５ａが前の揺動側壁１１に設けられ、後側部材３５ｂが後の揺動側壁１１に設けられている。【選択図】  図４
2005218924.tif 000002
【特許請求の範囲】
【請求項１】
所定間隔をあけて配された左右の固定側壁及び左右の固定側壁の前後部下部に渡し止められた前後の連結材を有する固定機枠と、左右の固定側壁の上部に、軸心を左右方向に向けた枢軸を介して上下揺動開閉自在に設けられた前後の揺動側壁と、左右の固定側壁に回転自在に渡された１本の回転軸と、回転軸に設けられたアーム状の粗切断用回転刃と、回転軸に設けられた、外周に鋸歯状の細断歯を有する細切断用回転刃と、前の揺動側壁の内側に設けられた、粗切断用回転刃及び細切断用回転刃との協働により被処理物を細断する固定刃と、後の揺動側壁の内側に設けられた、粗切断用回転刃及び細切断用回転刃の移動軌跡内には突出しないようにして、粗切断用回転刃及び細切断用回転刃に対向する前縁を有する上下仕切板と、固定刃及び上下仕切板の下方に位置するようにして設けられた、粗切断用回転刃の移動軌跡空間を囲う覆い部材とを有し、前記覆い部材が、前の揺動側壁に設けられた前側部材と、後の揺動側壁に設けられた後側部材とを有している細断機。
【請求項２】
所定間隔をあけて配された左右の固定側壁及び左右の固定側壁の前後部下部に渡し止められた前後の連結材を有する固定機枠と、左右の固定側壁の上部に、軸心を左右方向に向けた枢軸を介して上下揺動開閉自在に設けられた前後の揺動側壁と、左右の固定側壁に回転自在に渡された１本の回転軸と、回転軸に設けられたアーム状の粗切断用回転刃と、回転軸に設けられた、外周に鋸歯状の細断歯を有する細切断用回転刃と、前の揺動側壁の内側に設けられた、粗切断用回転刃及び細切断用回転刃との協働により被処理物を細断する固定刃と、後の揺動側壁の内側に設けられた、粗切断用回転刃及び細切断用回転刃の移動軌跡内には突出しないようにして、粗切断用回転刃及び細切断用回転刃に対向する前縁を有する上下仕切板と、固定刃及び上下仕切板の下方に位置するようにして設けられた、粗切断用回転刃の移動軌跡空間を囲う覆い部材とを有し、前記覆い部材が、前の揺動側壁に設けられた前側部材と、後の揺動側壁に設けられた後側部材と、前側部材と後側部材とを繋ぐ、それらと別体の中間部材とを有し、前記中間部材が固定機枠に設けられている細断機。
【請求項３】
前記覆い部材の中間部材が前後に２分割されていて前半体と後半体とからなり、これら前半体と後半体とが、固定機枠に着脱自在となされている請求項２記載の細断機。
【発明の詳細な説明】
【技術分野】
【０００１】
本発明は、例えば、熱可塑性合成樹脂製品の成形に伴って発生する副産物（スプル・ランナ等）を再利用可能な細断片に細断するのに好適な細断機に関する。
【背景技術】
【０００２】
本願出願人は、以下のごとき細断機（特願２００２−２７２，３７６号出願に係る細断機）を２００２年１１月に日本国で行われた見本市（「インターナショナル  プラスチック  フェアー」に展示した。
所定間隔をあけて配された左右の固定側壁及び左右の固定側壁の前後部下部に渡し止められた前後の枢軸を有する固定機枠と、枢軸に前後揺動開閉自在に設けられた前後の揺動側壁と、左右の固定側壁に回転自在に渡された１本の回転軸と、回転軸に設けられたアーム状の粗切断用回転刃と、回転軸に設けられた、外周に鋸歯状の細断歯を有する細切断用回転刃と、前の揺動側壁の内側に設けられた、粗切断用回転刃及び細切断用回転刃との協働により被処理物を細断する固定刃と、後の揺動側壁の内側に設けられた、粗切断用回転刃及び細切断用回転刃の移動軌跡内には突出しないようにして、粗切断用回転刃及び細切断用回転刃に対向する前縁を有する上下仕切板と、固定刃及び上下仕切板の下方に位置するようにして設けられた、粗切断用回転刃の移動軌跡空間を囲う覆い部材とを有し、前記覆い部材が、前の揺動側壁に設けられた前側部材と、後の揺動側壁に設けられた後側部材と、前側部材と後側部材とを繋ぐ、それらと別体の中間部材とを有し、前記中間部材が固定機枠に着脱自在となされている細断機が、それである。
【特許文献１】特願２００２−２７２，３７６号出願
【発明の開示】
【発明が解決しようとする課題】
【０００３】
前記従来の細断機には以下の如き欠点があった。
前後の揺動側壁が固定側壁の下部に設けられた枢軸を中心として前後揺動開閉自在となされたものであるため、清掃のため前後の揺動側壁を開くと、前後の揺動側壁は粗切断用回転刃及び細切断用回転刃の下方に位置することになり、その結果、粗切断用回転刃及び細切断用回転刃や固定機枠を清掃すると、被処理物の細断片（細断屑）が前後の揺動側壁に落下・付着し、前後の揺動側壁の清掃に時間を要するという欠点があった。
【課題を解決するための手段】
【０００４】
本発明は前記欠点を解消するために以下の如き手段を採用した。
（１）請求項１の発明は、所定間隔をあけて配された左右の固定側壁及び左右の固定側壁の前後部下部に渡し止められた前後の連結材を有する固定機枠と、左右の固定側壁の上部に、軸心を左右方向に向けた枢軸を介して上下揺動開閉自在に設けられた前後の揺動側壁と、左右の固定側壁に回転自在に渡された１本の回転軸と、回転軸に設けられたアーム状の粗切断用回転刃と、回転軸に設けられた、外周に鋸歯状の細断歯を有する細切断用回転刃と、前の揺動側壁の内側に設けられた、粗切断用回転刃及び細切断用回転刃との協働により被処理物を細断する固定刃と、後の揺動側壁の内側に設けられた、粗切断用回転刃及び細切断用回転刃の移動軌跡内には突出しないようにして、粗切断用回転刃及び細切断用回転刃に対向する前縁を有する上下仕切板と、固定刃及び上下仕切板の下方に位置するようにして設けられた、粗切断用回転刃の移動軌跡空間を囲う覆い部材とを有し、前記覆い部材が、前の揺動側壁に設けられた前側部材と、後の揺動側壁に設けられた後側部材とを有しているものである。
（２）請求項２の発明は、所定間隔をあけて配された左右の固定側壁及び左右の固定側壁の前後部下部に渡し止められた前後の連結材を有する固定機枠と、左右の固定側壁の上部に、軸心を左右方向に向けた枢軸を介して上下揺動開閉自在に設けられた前後の揺動側壁と、左右の固定側壁に回転自在に渡された１本の回転軸と、回転軸に設けられたアーム状の粗切断用回転刃と、回転軸に設けられた、外周に鋸歯状の細断歯を有する細切断用回転刃と、前の揺動側壁の内側に設けられた、粗切断用回転刃及び細切断用回転刃との協働により被処理物を細断する固定刃と、後の揺動側壁の内側に設けられた、粗切断用回転刃及び細切断用回転刃の移動軌跡内には突出しないようにして、粗切断用回転刃及び細切断用回転刃に対向する前縁を有する上下仕切板と、固定刃及び上下仕切板の下方に位置するようにして設けられた、粗切断用回転刃の移動軌跡空間を囲う覆い部材とを有し、前記覆い部材が、前の揺動側壁に設けられた前側部材と、後の揺動側壁に設けられた後側部材と、前側部材と後側部材とを繋ぐ、それらと別体の中間部材とを有し、前記中間部材が固定機枠に設けられているものである。
（３）請求項３の発明は、前記覆い部材の中間部材が前後に２分割されていて前半体と後半体とからなり、これら前半体と後半体とが、固定機枠に着脱自在となされている請求項２記載のものである。
【発明の効果】
【０００５】
本発明は前記した如き構成によって以下の如き効果を奏する。
（１）請求項１の発明によれば、清掃のために前後の揺動側壁を開くと、上方に開く前後の揺動側壁は、粗切断用回転刃及び細切断用回転刃の上方に位置することになり、その結果、粗切断用回転刃及び細切断用回転刃や固定機枠を清掃しても、被処理物の細断片（細断屑）が前後の揺動側壁に落下・付着するということがない。また、前の揺動側壁に覆い部材の前側部材が設けられ、後の揺動側壁に覆い部材の後側部材が設けられているので、前後の揺動側壁を上方に開くと、覆い部材の前側部材及び後側部材も一挙に固定機枠から脱出させることが出来るので、覆い部材の前側部材及び後側部材の清掃が行いやすい。
（２）請求項２の発明によれば、清掃のため前後の揺動側壁を開くと、上方に開く前後の揺動側壁は、粗切断用回転刃及び細切断用回転刃の上方に位置することになり、その結果、粗切断用回転刃及び細切断用回転刃や固定機枠を清掃しても、被処理物の細断片（細断屑）が前後の揺動側壁に落下・付着するということがない。
（３）請求項３の発明によれば、覆い部材の中間部材（前半体と後半体とからなる）を固定機枠から外すことが出来るので、覆い部材の中間部材の清掃が行いやすい。
【発明を実施するための最良の形態】
【０００６】
以下に、２つの、本発明の実施の形態を説明する。
なお、これらの説明において同一の部材は同一の符号で示す。
【０００７】
［第１の実施の形態］（図１〜図８参照）
なお、この説明において、前とは図１紙面表側を、後とは同裏側をいい、左とは図１左側を、右とは同図右側をいう。
【０００８】
細断機１のケーシング３は、上部に入口４を、下部に出口５を有している。前記ケーシング３の上部にはホッパー（図示略）が着脱自在に接続され、出口５の下方には細断片を受ける受け箱（図示略）が配置される。
【０００９】
前記ケーシング３は、所定間隔をあけて配された左右の固定側壁８と、左右の固定側壁８の前後部下部に渡し止められた前後の連結材９と、左右の固定側壁８の前後部上部に渡し止められた、軸心を左右方向に向けた前後の枢軸１０と、枢軸１０に上下揺動開閉自在に設けられた揺動側壁１１とを有している。前記固定側壁８と連結材９とが固定機枠７を構成している。
【００１０】
前記前後の揺動側壁１１は、垂下状態となって閉じた際、連結材９に当たるようになされている（図４参照）。
【００１１】
図３に示すごとく、前記固定側壁８に軸心を左右方向に向けた、同心の貫通孔１３が形成され、これら貫通孔１３の周縁部に軸受１４が取り付けられ、これら軸受１４に軸心を左右方向に向けた回転軸１５が回転自在に渡されている。前記回転軸１５は、モーター１６によって矢印Ａ（図４参照）の方向に回転させられるようになされている。前記回転軸１５の左端部の内側部に左螺旋部１８が形成され、同右端部の内側部に右螺旋部１９が形成され、これら左螺旋部１８、右螺旋部１９が貫通孔１３の内面に対向するようになされている。このような構成により、回転軸１５が矢印Ａの方向に回転するのに伴って、左螺旋部１８、右螺旋部１９と貫通孔１３の内面との間に入り込んだ被処理物（細断片も含む）は、ケーシング３の内部に送り出される。
【００１２】
前記回転軸１５に、少なくとも１つ、本実施の形態では２つのアーム状の粗切断用回転刃２１が左右方向に所定間隔をあけて、且つ、固定側壁８との間にも間隔をあけるようにして、嵌め止められている。また、回転軸１５には、少なくとも１つ、本実施の形態では３つの細切断用回転刃２２が嵌め止められている。なお、相互に隣接する粗切断用回転刃２１と細切断用回転刃２２とは密接させられ、一番左及び一番右の細切断用回転刃２２は固定側壁８にそれらの回転を阻害しないように僅かの間隙をあけて対向させられている。前記細切断用回転刃２２には、左右方向に所定間隔で環状溝２３が形成され、環状溝２３と環状溝２３との間の突部２４に鋸歯状の細断歯２５が形成されている（図６参照）。
【００１３】
前記前の揺動側壁１１の内側に、粗切断用回転刃２１及び細切断用回転刃２２との協働により被処理物を細断する固定刃２７が、後方に向かって下り傾斜するようにして取り付けられている。前記固定刃２７は、左右方向に長い、粗切断用回転刃２１の先端の移動軌跡の前側に位置する前部材２７ａと、この前部材２７ａと別体である、粗切断用回転刃２１の移動軌跡の位置で分断された後部材２７ｂ（図３参照）とを有している。
【００１４】
前記前部材２７ａは、図６に示すごとく所要本のボルト２８により前の揺動側壁１１に固定されており、粗切断用回転刃２１の移動軌跡に臨む後縁部が刃（粗切断用回転刃２１との協働により被処理物を細断する刃）として機能するようになされている。
【００１５】
前記後部材２７ｂは、図６に示すごとく所要本のボルト２９及びナット３０により前の揺動側壁１１に固定されており、粗切断用回転刃２１の移動軌跡に臨む側縁が刃（粗切断用回転刃２１との協働により被処理物を細断する刃）として機能するようになされている。また、後部材２７ｂの後縁部は、細切断用回転刃２２と噛み合うように凹凸となされ（図３参照）、この凹凸部が刃（細切断用回転刃２２との協働により被処理物を細断する刃）となされている。
【００１６】
前記後の揺動側壁１１の内側に上下仕切板３３が、前方に向かって下り傾斜するようにして取り付けられている。前記上下仕切板３３は、粗切断用回転刃２１及び細切断用回転刃２２の移動軌跡内には突出しないようにして粗切断用回転刃２１及び細切断用回転刃２２に対向する前縁を有している。更に詳述すれば、上下仕切板３３の、細切断用回転刃２２に対向する部分は、細切断用回転刃２２と噛み合うように凹凸となされている（図３参照）。前記上下仕切板３３は、図６に示すごとく所要本のボルト２９及びナット３０により後の揺動側壁１１に固定されている。
【００１７】
上記のごとき構成により、固定刃２７と上下仕切板３３との間に粗切断用回転刃２１及び細切断用回転刃２２が位置するようになされている。
【００１８】
図４及び図５に示すごとく、前記固定刃２７及び上下仕切板３３の下方に位置するようにして粗切断用回転刃２１の移動軌跡空間を囲う覆い部材３５が設けられている。前記覆い部材３５は、前後に２分割されていて前側部材３５ａと後側部材３５ｂとからなり、前側部材３５ａが前の揺動側壁１１に設けられ、後側部材３５ｂが後の揺動側壁１１に設けられている。なお、図４において、前側部材３５ａと後側部材３５ｂとの境が「Ｌ」で示されている。
【００１９】
前記固定刃２７、細切断用回転刃２２、上下仕切板３３及び覆い部材３５により、入口４と出口５とが上下に仕切られたかたちとなり、設定の大きさより大きな細断片が出口５に至るのを防止している。
【００２０】
図１及び図７に示すごとく、前記左の固定側壁８の上部前部に、左右方向に貫通する貫通孔３８が形成され、この貫通孔３８にばね４０により右側に突出するように付勢されたストッパー３９が設けられている。なお、ストッパー３９は、左側の頭部が固定側壁８の左面に当接することにより、設定量だけ固定側壁８より右方に突出するようになされている。
前記前の揺動側壁１１には、図７に示すところの上側に揺動した（開いた）状態においてストッパー３９に当たる突部４１が設けられている。このような構成により、ストッパー３９をばね４０に抗して左側に退入させた状態とした後（即ち、ストッパー３９が突部４１に当たらない状態とした後）、前の揺動側壁１１を図７の位置まで揺動させ、その後、ストッパー３９から力を除いてストッパー３９を右側に突出させると、ストッパー３９が突部４１に当たるので、前の揺動側壁１１は開いた状態に保持される。
【００２１】
後の揺動側壁１１を開いた状態で保持するため、前記したと同様のストッパーが、左の固定側壁８の上部後部に設けられている。また、後の揺動側壁１１にも突部４１が設けられている。
【００２２】
図２に示すごとく、前の揺動側壁１１に突設された支持軸４３と、前の連結材９の、右の固定側壁８より突出した端部とに前の揺動側壁１１を開く方向に付勢する周知の気体封入式の付勢具４４が渡され、また、後の揺動側壁１１に突設された支持軸４３と、後の連結材９の、右の固定側壁８より突出した端部とに後の揺動側壁１１を開く方向に付勢する周知の気体封入式の付勢具４４が渡されている。
【００２３】
前記付勢具４４は、下端にロッド通過孔を有するシリンダ４５と、このシリンダ４５のロッド通過孔に気密状態で摺動自在に嵌められたロッド４６と、このロッド４６の、シリンダ４５内の端に設けられたピストン４７と、シリンダ４５内に封入された圧縮気体（図示略）と、シリンダ４５の上端に設けられた、支持軸４３に枢着された取付片４８と、ロッド４６の下端に設けられた、連結材９の、右の固定側壁８より突出した端部に枢着された取付片４８とを有し、前記ピストン４７に、ピストン４７により区分されたシリンダ４５内の２つの部屋を連通させる連通孔（図示略）が形成されているものである。前記付勢具４４のロッド４６は圧縮気体の作用によりシリンダ４５から抜け出す方向に付勢されるようになされている。前記付勢具４４は、ロッド４６の突出量に拘わらず、ピストン４７を押す力（ロッド４６を突出させる方向に押す力）が大きく変化しない特徴を有している。そして、本実施の形態では、付勢具４４によるモーメントにより、揺動側壁１１に力を加えない状態とすると（後述のロック装置５１のロックを解除した状態とすると）、揺動側壁１１はゆっくりと開いて、揺動側壁１１が完全に開く（図７の状態となる）より前の開き状態となると、付勢具４４によるモーメントと揺動側壁１１の自重によるモーメントとが、釣り合うようになされ、その位置で揺動側壁１１は一旦停止するようになされている。なお、前記の釣り合い位置から、揺動側壁１１を人の力で完全に閉じることが出来るように、付勢具４４の、ロッド４６を突出させる方向に押す力や付勢具４４の取り付け位置が調節されている。このような構成により、付勢具４４の助けを借りて楽に揺動側壁１１を開くことが出来ると共に、付勢具４４の付勢作用とストッパー３９のストッパー作用とにより、揺動側壁１１が作業員の意思に反して不用意に閉じるのを防止して、揺動側壁１１と固定機枠７との間で指詰め等の事故を防止出来るようになされている。なお、付勢具４４は、要するに、揺動側壁１１を開く作業（作業員による作業）を助けるようになっていればよい。
【００２４】
前記前後の揺動側壁１１は図６の状態位置で図８に示すロック装置５１によりロックされるようになされている。
前記ロック装置５１は、相互に対向する、平面視において先端側に向かって開くテーパー面５２を有する平面形状コ字状のロック片５３と、ロック片５３に形成された貫通孔５４を通じて固定側壁８に形成されたねじ孔５５にねじ嵌められたハンドル付きねじ５６と、テーパー面５２に対向する、固定側壁８に形成された傾斜面５７と、テーパー面５２に対向する、揺動側壁１１に形成された傾斜面５７とを有している。このような構成により、テーパー面５２を傾斜面５７に対向させた後、ねじ孔５５にねじ嵌めたねじ５６を締め付けてテーパー面５２を傾斜面５７に押し当てることにより、揺動側壁１１を固定側壁８にロックすることが出来る。
【００２５】
細断機１の作用は従来と同様である。
【００２６】
［第２の実施の形態］（図９及び図１０参照）
なお、この説明において、前とは図９左側を、後とは同図右側をいい、左とは図９紙面裏側を、右とは同表側をいう。
【００２７】
第２の実施の形態は、以下に述べる構造が相違するだけで、それ以外は第１の実施の形態と同様である。
【００２８】
覆い部材６１は、前の揺動側壁１１に設けられた前側部材６１ａと、後の揺動側壁１１に設けられた後側部材６１ｃと、前側部材６１ａと後側部材６１ｃとを繋ぐ、それらと別体の中間部材６１ｂとを有している。なお、図９において、前側部材６１ａと中間部材６１ｂとの境が「Ｍ」で示され、中間部材６１ｂと後側部材６１ｃとの境が「Ｎ」で示されている。
【００２９】
前記中間部材６１ｂは、前後に２分割されていて前半体６２ａと後半体６２ｂとからなり、これら前半体６２ａと後半体６２ｂとが、以下に詳述するようにて固定機枠７に着脱自在となされている。前半体６２ａと後半体６２ｂとの境が「Ｐ」で示されている。
【００３０】
前後の連結材９の、覆い部材６１に対向する部分に長手方向を前後方向に向けたガイドレール６４が渡し止められ、これらガイドレール６４に前半体６２ａ及び後半体６２ｂが前後動自在に嵌められている。前半体６２ａは前方に引き出すことによりガイドレール６４から外れるようになされ、他方、後半体６２ｂは後方に引き出すことによりガイドレール６４から外れるようになされている。
【００３１】
以下に変形例等について説明を加える。
（１）粗切断用回転刃２１及び細切断用回転刃２２の形状は任意である。
（２）第２の実施の形態において、中間部材６１ｂを、固定機枠７に対して着脱自在とする構造は任意である。
（３）第２の実施の形態において、中間部材６１ｂを固定機枠７に対して固定する場合もある。
（４）付勢具４４を細断機１の左側に設けるようにしてもよい。
（５）付勢具４４は設けない場合もある。
（６）本明細書には以下の細断機が開示されている。
揺動側壁と固定機枠とに揺動側壁を開く方向に付勢する気体封入式の付勢具が渡され、前記付勢具は、下端にロッド通過孔を有するシリンダと、このシリンダのロッド通過孔に気密状態で摺動自在に嵌められたロッドと、このロッドの、シリンダ内の端に設けられたピストンと、シリンダ内に封入された圧縮気体と、シリンダの上端に設けられた、揺動側壁に前後揺動するようにして枢着された取付片と、ロッドの下端に設けられた、固定機枠に前後揺動するようにして枢着された取付片とを有し、前記ピストンに、ピストンにより区分されたシリンダ内の２つの部屋を連通させる連通孔が形成されており、前記付勢具のロッドは圧縮気体の作用によりシリンダから抜け出す方向に付勢されるようになされている請求項１〜３のいずれかに記載の細断機が、開示されている。
この細断機によれば、付勢具の助けを借りて揺動側壁を楽に開くことが出来る。
【図面の簡単な説明】
【００３２】
【図１】本発明の第１の実施の形態を示す一部省略の正面図である。
【図２】図１のＩＩ−ＩＩ線に沿う、一部省略の矢視図である。
【図３】図１のＩＩＩ−ＩＩＩ線に沿う、一部省略・一部破砕の矢視図である。
【図４】図１のＩＶ−ＩＶ線に沿う、一部省略の断面図である。
【図５】図４のＶ−Ｖ線に沿う、一部省略の断面図である。
【図６】図１のＶＩ−ＶＩ線に沿う、一部省略の断面図である。
【図７】ストッパーの作用を説明するための、図１のＶＩＩ−ＶＩＩ線に沿う断面位置での断面図である。
【図８】図１のＶＩＩＩ−ＶＩＩＩ線拡大断面図である。
【図９】本発明の第２の実施の形態を示す、一部省略の要部縦断面図である。
【図１０】図９のＸ−Ｘ線断面図である。
【符号の説明】
【００３３】
１  細断機
７  固定機枠
８  固定側壁
９  連結材
１０  枢軸
１１  揺動側壁
１５  回転軸
２１  粗切断用回転刃
２２  細切断用回転刃
２７  固定刃
３３  上下仕切板
３５  覆い部材
３５ａ  前側部材
３５ｂ  後側部材
【図１】
2005218924.tif 000003
【図２】
2005218924.tif 000004
【図３】
2005218924.tif 000005
【図４】
2005218924.tif 000006
【図５】
2005218924.tif 000007
【図６】
2005218924.tif 000008
【図７】
2005218924.tif 000009
【図８】
2005218924.tif 000010
【図９】
2005218924.tif 000011
【図１０】
2005218924.tif 000012